(57)【要約】【課題】本発明は、盗難防止機能を備える電子装置及び該電子装置の盗難防止方法を提供することを目的とする。【解決手段】本発明の電子装置は、電子装置本体及び電子装置本体に接続された送信器を備える。電子装置本体は、制御器、センサー及び警報器を備える。制御器は、警報器を制御し、且つ送信器が電子装置本体から離れると、電子装置をロック状態にし、センサーは、電子装置がロック状態であり、且つ電気装置本体が加速移動した場合、制御器は警報器を動作させ、制御器は、センサーからの通知を受信し、且つ警報器を動作させ、送信器が電子装置本体に接続された場合、警報器を停止する。【選択図】図１
2014235742.tif 000002
【特許請求の範囲】
【請求項１】
電子装置において、
前記電子装置は、電子装置本体及び前記電子装置本体に接続された送信器を備え、前記電子装置本体は、制御器、センサー及び警報器を備え、前記制御器は、前記警報器を制御し、且つ前記送信器が前記電子装置本体から離れた場合、前記電子装置はロック状態に入り、前記センサーは、前記電子装置がロック状態であり、且つ前記電気装置本体が加速移動する場合、前記制御器は前記警報器を動作させ、前記制御器は、前記センサーからの通知を受信し、且つ前記警報器を動作させ、前記送信器が前記電子装置本体に接続された場合、前記警報器を停止することを特徴とする電子装置。
【請求項２】
前記送信器は、前記制御器と接続されるリモコンを備え、前記リモコンは、前記警報器が動作しているとき、制御信号を前記制御器に送信して、前記制御器は前記警報器を停止することを特徴とする請求項１に記載の電子装置。
【請求項３】
電子装置本体は、パラメータ設定モジュールをさらに備え、前記パラメータ設定モジュールは、前記センサーの敏感度、前記警報器の音量、警報ブザーの種類及び警報ブザーの停止時間を設定することを特徴とする請求項１から２のいずれか１項に記載の電子装置。
【請求項４】
制御器は、送信器が電子装置本体から離れたことを知らせる通知を受信した場合、電子装置をロック状態にするステップと、
前記電子装置がロック状態下で、センサーが前記電子装置本体が加速移動することを感知した場合、前記制御器に通知を送信するステップと、
前記制御器は、前記センサーからの通知を受信した後、警報器を動作させるステップと、
前記センサーは、前記送信器が前記電子装置本体に接続されたことを感知した場合、前記警報器を停止させるステップと
を備えることを特徴とする電子装置の盗難防止方法。
【請求項５】
前記電子装置の盗難防止方法は、前記センサーが前記制御器に通知を送信するステップの前に、パラメータ設定モジュールが、前記センサーの感度、前記警報器の音量、警報ブザーの種類及び警報ブザーの停止時間を設定するステップを備えることを特徴とする請求項４に記載の電子装置の盗難防止方法。
【請求項６】
前記制御器が前記センサーからの通知を受信した後、前記警報器を動作させるステップは、前記警報器が動作しているとき、リモコンが制御信号を前記制御器に送信して、前記制御器が前記警報器を停止するステップを備えることを特徴とする請求項４に記載の電子装置の盗難防止方法。
【発明の詳細な説明】
【技術分野】
【０００１】
本発明は、電子装置に関し、特に盗難防止の機能を有する電子装置及び該電子装置の盗難防止方法に関するものである。
【背景技術】
【０００２】
現在、携帯電話、ノートパソコン等電子装置は、現代の人々にとって必要不可欠なものとなっている。従来のノートパソコンは、ケンジントン(Ｋｅｎｓｉｎｇｔｏｎ)社が製造している盗難防止ワイヤーケーブル等を装着して、ノートパソコンの盗難を防止している。しかし、公共の場所（例えば、喫茶店、図書館等）で、該盗難防ワイヤーケーブルを使用する場合、周辺にこの盗難防止ワイヤーケーブルを装着できる別の物を探さなければならないため不便である。しかし、ノートパソコンに、盗難防止ワイヤーケーブルを装着しない場合、ユーザが席を外した際、ノートパソコンが盗難される恐れがある。
【発明の概要】
【発明が解決しようとする課題】
【０００３】
以上の問題点に鑑みて、本発明は、盗難防止機能を備える電子装置及び該電子装置の盗難防止方法を提供することを目的とする。
【課題を解決するための手段】
【０００４】
上記の課題を解決するために、本発明の電子装置は、電子装置本体及び前記電子装置本体に接続された送信器を備える。前記電子装置本体は、制御器、センサー及び警報器を備え、前記制御器は、前記警報器を制御し、且つ前記送信器が前記電子装置本体から離れた場合、前記電子装置はロック状態に入り、前記センサーは、前記電子装置がロック状態であり、且つ前記電気装置本体が加速移動する場合、前記制御器は前記警報器を動作させ、前記制御器は、前記センサーからの通知を受信し、且つ前記警報器を動作させ、前記送信器が前記電子装置本体に接続された場合、前記警報器を停止する。
【０００５】
上記の課題を解決するために、本発明の電子装置の盗難防止方法は、送信器が電子装置本体から離れたという通知を受信した場合、制御器は電子装置をロック状態にするステップと、前記電子装置がロック状態下で、センサーが前記電子装置本体が加速移動したことを感知した場合、前記制御器に通知を送信するステップと、前記制御器が前記センサーからの通知を受信すると、警報器を動作させるステップと、及び前記センサーが、前記送信器が前記電子装置本体に接続したことを感知した場合、前記警報器を停止させるステップを備える。
【発明の効果】
【０００６】
従来の技術に比べて、本発明の電子装置及び該電子装置の盗難防止方法は、送信器が電子装置本体から離れた場合、制御器は電子装置本体をロック状態にする。従って、他の人が電子装置本体を持ち去ろうとした場合、センサーが対応する信号を制御器に送信し、制御器が警報器を動作させて、ユーザに電子装置の盗難を知らせるため、電子装置本体の盗難を防止することができる。
【図面の簡単な説明】
【０００７】
【図１】本発明に係る電子装置の分解斜視図である。
【図２】図１に示した電子装置の組立斜視図である。
【図３】図１に示した電子装置の使用状態図である。
【図４】本発明に係る電子装置のブロック図である。
【図５】本発明に係る電子装置の盗難防止方法の流れ図である。
【発明を実施するための形態】
【０００８】
以下、図面に基づいて、本発明に係る電子装置及び該電子装置の盗難防止方法について詳細に説明する。図１〜図４に示したように、電子装置１００は、電子装置本体１０及び送信器２０を備える。電子装置本体１０は、固定部材１１と、固定部材１１に回転可能に設置された表示装置１２と、１つのセンサー１３と、表示装置１２の両側に設置された２つの警報器１４と、１つのパラメータ設定モジュール１５及び制御器１６を備える。本実施形態において、電子装置１００は、ノートパソコンであり、各警報器１４は、スピーカーである。
【０００９】
表示装置１２には、１つの挿入溝１２１が設けられている。センサー１３は、表示装置１２上に設置され、且つ固定部材１１と隣接している。センサー１３は、他の人が電子装置本体１０を触ったかどうか、或いは触って電子装置本体１０が移動、震動したか等を感知する。本実施形態において、センサー１３は、加速度計である。加速度計は、質量計測、支持部、ポテンショメータ、スプリング、緩衝器及びケースで構成されている。質量計測は、支持部の制限の下、ただ１つの直線の軸に沿って移動し、該軸は、入力軸或いは敏感軸と呼ばれる。ケースが運搬体と共に、敏感軸の方向に沿って移動する際、ニュートンの法則によって、一定の慣性を備えた質量計測力は、運動状態を維持しようとする。この際、質量検査の力は、ケースと相対して運動するため、スプリングが変形し、且つ質量計測がスプリングの弾性力によって加速運動する。弾性力と質量計測が加速運動する際に生成した慣性力とが同じである場合、質量計測とケースとの間に相対運動は存在しない。この際スプリングの変形は、加速度の大きさを表す。ポテンショメータは、移動感知部材であり、加速度信号を電気信号に変換して出力する。即ち、電子装置本体１０のシステムが停止状態或いは均一速度の運動を維持する際、センサー１３は動作しない。電子装置本体１０のシステムに加速度が生成された場合、センサー１３は動作する。
【００１０】
パラメータ設定モジュール１５は、センサー１３の感度、警報器１４の音量、警報ブザーの種類及び警報ブザーの停止時間を設定する。例えば、設定された時間になっても、センサー１３が続けて加速度の発生を感知できない場合、警報器１４の動作を停止する。制御器１６は、送信器２０が電子装置本体１０から離れた場合、電子装置１００のシステムに通知して、システムをロック状態にする。制御器１６は、センサー１３からの信号を受信し、且つ警報器１４を動作させる。或いは、制御器１６は、送信器２０が挿入溝１２１に挿し込まれたことを感知した場合、警報器１４を停止する。送信器２０は、携帯型の送信器であり、且つ電子装置本体１０と無線送信方式によって接続される。送信器２０が挿入溝１２１から離れた場合、電子装置本体１０内のシステムは、ロック状態に入る。送信器２０が挿入溝１２１に挿し込まれた場合、電子装置本体１０内のシステムは、ロックが解除される。
【００１１】
図５に示したように、電子装置の盗難防止方法は、以下のステップ（Ｓ１０〜Ｓ４０）を備える。ステップＳ１０において、電子装置１００を使用する場合、先ず、パラメータ設定モジュール１５が、センサー１３の感度、警報器１４の音量、警報ブザーの種類及び警報ブザーの停止時間を予め設定する。初期状態の際、送信器２０は挿入溝１２１内に挿し込まれており、制御器１６は、送信器２０が電子装置本体１０に挿し込まれていることを感知し、電子装置本体１０のシステムをロックが解除されている状態にする。ユーザが電子装置本体１０から離れる際、送信器２０を挿入溝１２１から抜き取り、且つ持ち去ると、電子装置本体１０のシステムは、ロック状態に入る。ステップＳ２０において、ユーザが席を外して、センサー１３が電子装置本体１０の移動状態を感知した場合、センサー１３は動作し、且つ作動信号を制御器１６に送信する。ステップＳ３０において、制御器１６は、センサー１３の作動信号を受信した後、警報器１４の警報ブザーを鳴らして、電子装置本体１０が移動されたことを、周囲の人々に知らせる。同時に、電子装置本体１０のシステムは、無線送信方式を利用して、電子装置本体１０の移動された信号を送信器２０に送信する。これにより、ユーザは、無線信号が受信される範囲内で、自分の電子装置本体１０が移動されていることがわかる。ステップＳ４０において、ユーザが送信器２０を挿入溝１２１に挿し込んだ場合、制御器１６はセンサー１３を介して、送信器２０が電子装置本体１０に挿し込まれたことを感知して、電子装置本体１０のシステムのロックを解除して、且つ警報器１４を停止する。また実施形態において、送信器２０には、１つのリモコン２１が設置されている。リモコン２１は、赤外線を介して制御器１６と接続される。従って、警報器１４が動作した場合、ユーザは、自由にリモコン２１を利用して制御信号を制御器１６に送信して、制御器１６によって警報器１４を停止させる。また、電子装置本体１０が盗難されて、送信器２０が電子装置本体１０から離れた場合、システムはロック状態に入るため、電子装置本体１０内の資料情報が漏洩することもない。
【符号の説明】
【００１２】
１００  電子装置
１０  電子装置本体
１１  固定部材
１２  表示装置
１２１  挿入溝
１３  センサー
１４  警報器
１５  パラメータ設定モジュール
１６  制御器
２０  送信器
２１  リモコン
【図１】
2014235742.tif 000003
【図２】
2014235742.tif 000004
【図３】
2014235742.tif 000005
【図４】
2014235742.tif 000006
【図５】
2014235742.tif 000007